(57)【特許請求の範囲】
【請求項１】
第１の面（４）及び第２の面（５）を有する第１のワーク（１）に設けた少なくとも１つの金属化された領域（３）において、前記第１のワーク（１）を選択的に表面処理する方法であって、前記第１のワーク（１）に、少なくとも１つの別のワーク（２）を、前記第１の面（４）において、少なくとも部分領域で、外部に対してシールするように解離可能に互いに結合させ、１つの処理段階で、前記結合によりカバーされていない領域を選択的に表面処理する方法において、
前記選択的表面処理によって、前記金属化された領域（３）とは別の金属被膜を形成し、
平板状に形成されていない前記第１のワーク（１）の前記第１の面（４）及び前記第２の面（５）は、それぞれ異なる大きさの表面積を有し、前記第１のワーク（１）がセラミックであって、前記第２の面（５）を、ヒートシンクとすると共に、前記金属化された領域（３）を設けるための面とすることを特徴とする、選択的に表面処理する方法。
【請求項２】
前記別のワーク（２）を平板状に形成する、請求項１記載の方法。
【請求項３】
前記第１のワーク（１）の上記面の一方及び／又は前記別のワーク（２）に扁平な表面を形成する、請求項１又は２記載の方法。
【請求項４】
前記選択的表面処理を、少なくとも１つの前記金属化された領域（３）における化学的及び／又は電気的な析出又はこれらの組み合わせによって行う、請求項１から３までのいずれか１項記載の方法。
【請求項５】
前記第１のワーク（１）が、回路支持体である、請求項１から４までのいずれか１項記載の方法。
【請求項６】
少なくとも前記第１のワーク（１）の一個所に前記金属化された領域（３）を設け、前記金属化された領域（３）をＤＣＢ（direct copper bonding / 直接的銅ボンディング）法又はＡＭＢ（active metal brazing / アクティブはんだ付け）法によって前記第１のワーク（１）に設ける、請求項１から５までのいずれか１項記載の方法。
【請求項７】
前記第１のワーク（１）と前記別のワーク（２）との解離可能な結合のために、フレーム状の又は平板状の結合部材を使用し、前記結合部材は、前記第１のワーク（１）のカバーすべき表面のネガ輪郭に相応しており、前記結合部材に、前記別のワーク（２）を、付着性及び／又は接着性及び／又はシール性の材料を使用して、及び／又は負圧を使用して保持する、請求項１から６までのいずれか１項記載の方法。
【請求項８】
同じ又は異なる選択的表面処理を、時間的に連続する複数の処理段階で行い、選択的表面処理の各処理段階の前に、前記第１及び第２のワーク（１，２）を、互いに密に結合させる、請求項１から７までのいずれか１項記載の方法。
【請求項９】
前記第１のワークと前記別のワークとは、シールエレメントによって結合されている、請求項１から８までのいずれか１項記載の方法。
【発明の詳細な説明】
【技術分野】
【０００１】
本発明は、請求項１の上位概念に記載の形式のワークを選択的に表面処理するための方法に関する。
【０００２】
ドイツ連邦共和国特許出願公開第１０１５４３１６号明細書により、このような形式の、ワークを選択的に表面処理するための方法が公知である。
【０００３】
平板状のワークを、２つの金属的な表面側の少なくとも一方において、選択的に表面処理をするためのこのような方法は、少なくとも２つの同様のワークを、その第１の表面側の一方で、少なくとも１つの部分領域において外部に対してシールするように、解離可能に互いに結合させ、１つの処理段階で、金属的な表面側の、結合によりカバーされていない領域を選択的に表面処理することを特徴とする。
【０００４】
銅シートの構造化後、１つの方法ステップで、所定の金属被覆部でのみ選択的な表面処理が行われるが、表面処理を行わない金属被覆部では行われない。このために、２つの多重基板がそれぞれ、表面処理を行わない金属被覆部を有した側で、結合部材を介して密に、かつ再び解離可能に互いに結合されていて、表面処理を行わない金属被覆部は、結合部材によって外部に対して完全にカバーされている。
【０００５】
表面処理を行わない金属被覆部は、結合部材と、両多重基板のセラミック層とによって密に閉じられた空間に存在し、従って、続く表面処理は、表面処理が行われるべきである露出した金属被覆部でのみ行われる。
【０００６】
ドイツ連邦共和国特許出願公開第１０１５４３１６号明細書には、２つの同じ平板状のワーク上に形成された、片側又は両側の金属被覆部を有した平板状のワークしか記載されていない。
【０００７】
本発明の課題は、請求項１の上位概念で記載した形式の方法を改善して、金属化された領域の良好な冷却及び容易な分配が可能であるようにすることである。
【０００８】
この課題を解決するために本発明の構成では、少なくとも第１のワークを平板状に形成せず、少なくとも一方の側で、全面的に又は部分面的に、同様に又は異なるように金属化された又は金属化されていない領域又は中空室又はこれらの組み合わせを設け、選択的表面処理の際に、少なくとも１つの別の金属的なコーティング又は別の金属的な被覆を取り付けるようにした。第１のワークの平板状ではない構成により、金属化された領域の良好な冷却及び良好な分配が得られる。良好な冷却は、表面の任意な構成により得られる。ワークがプレート状に構成されていないので、常に、表面積が拡大され、ひいては、冷却が改善され、複数の利用面が提供される。
【０００９】
本発明の構成では、ワークの上面及び下面を、それぞれ異なる大きさの表面積を有するように形成する。
【００１０】
本発明の特別な構成では、第１のワークの上記面の一方及び／又は別のワークの上記面の一方に偏平な表面を形成する。
【００１１】
第１のワークに結合される少なくとも１つの別のワークを平板状に形成する。
【００１２】
有利な構成では、選択的表面処理を、少なくとも１つの金属化された層における化学的及び／又は電気的な析出又はこれらの組み合わせによって行う。
【００１３】
本発明の構成では、シールし、かつ再び解離可能な、第１のワークと少なくとも１つの別のワークとの結合を、これにより第１のワークの少なくとも一方の表面が全面的に、又は部分的に、結合によりカバーされるように行う。
【００１４】
有利には、ワークの少なくともいくつかを、金属、セラミック、ポリマ、又はこれらの組み合わせから製造する。
【００１５】
有利には、少なくとも第１のワークが、実装された又は実装されていない、導電性でないまたはほぼ導電性でない回路支持体であって、少なくとも１つの全面的な又は部分面的な金属被覆部が少なくとも１つの表面に支持されている。
【００１６】
本発明の構成では、少なくとも第１のワークが、又は有利には別のワークも、セラミック・金属基板である。ドイツ連邦共和国特許出願公開第１０２００４０３３２２７号明細書により例えば、金属・セラミック基板が公知である。
【００１７】
有利には、少なくとも第１のワークの一個所に金属被覆部を設け、該金属被覆部をＤＣＢ（direct copper bonding / 直接的銅ボンディング）法又はＡＭＢ（active metal brazing / アクティブはんだ付け）法によってワークに結合する。
【００１８】
有利には、第１のワークと少なくとも１つの別のワークとの再び解離可能な結合のために、フレーム状の又は平板状の結合部材を使用し、該結合部材は、第１のワークのカバーすべき表面のネガ輪郭に相応しており、前記結合部材に、別のワークを、付着性及び／又は接着性及び／又はシール性の材料を使用して、及び／又は負圧を使用して保持する。
【００１９】
本発明の構成では、同じ又は異なる選択的表面処理を、時間的に連続する複数の処理段階で行い、選択的表面処理の各処理段階の前に、両ワークを、処理すべきではない表面側で互いに密に結合させる。
【００２０】
本発明による構成では、エッチングプロセスのような除去プロセスも含む、同じ又は異なる選択的表面処理の時間的に連続する複数の処理段階を、カバーされていない領域で行う。
【００２１】
有利には、ワークを形状的に相応に配置することにより、同時的又は選択的に、少なくとも２つの異なる選択的表面処理を行う。
【００２２】
有利には、少なくとも１つのワークがセラミックのヒートシンクである。
【００２３】
ヒートシンクとは、電気的又は電子的な構成部材又は回路のための支持体であって、導電的ではなく、または殆ど導電的ではなく、支持体に一体的に、熱を導出又は供給する冷却エレメントが設けられているものと理解されたい。有利にはこの支持体は、ボードであって、冷却エレメントは、加熱媒体又は冷却媒体を供給可能な孔、通路、リブ、及び／又は切欠である。支持体及び／又は冷却エレメントは、例えば少なくとも１つのセラミック構成部分又は、種々様々なセラミックの複合体から成っている。ヒートシンクは例えば、ドイツ連邦共和国特許出願公開第１０２００７０１４４３３号明細書又はドイツ連邦共和国特許出願公開第３７０９２００号明細書に記載されている。
【図面の簡単な説明】
【００２４】
【図１】本発明の第１の実施例を示す図である。
【図２】本発明の第２の実施例を示す図である。
【００２５】
以下に、本発明を２つの図面につき詳しく説明する。
【００２６】
図１には第１のワーク１が示されている。このワーク１は、種々異なる金属化された領域又は金属被覆部３を有している。第１のワーク１の上面４及び／又は下面５の少なくとも１つの金属化された領域３において、ワーク１を選択的に表面処理するために、処理すべきではない領域６をカバーする。このために、ここに図示した構成では、唯一の別のワーク２が使用される。このワーク２は同様に、このワーク２の側に金属被覆部３を有している。この別のワーク２は、シールエレメント７を介して、処理すべきではない領域６上に、この処理すべきではない領域６が覆われるように載置される。この結合は、この別のワーク２が再び、第１のワーク１から取り外し可能であるように行われる。
【００２７】
処理すべきではない領域６の結合若しくはカバーを行った後、１つの処理段階で、このような結合によりカバーされなかった領域の選択的表面処理が行われる。選択的表面処理は、有利には、少なくとも１つの金属的な層の化学的及び／又は電気的な析出、またはこれらの組み合わせによって行われる。
【００２８】
本発明によれば、第１のワーク１は平板状に形成されていない。図示の実施例では、別のワーク２も平板状に形成されていない。平板状ではないとは、ワーク１，２の上面４と下面５が、それぞれ異なる大きさの表面積を有しているように形成されていることを意味する。第１のワーク１の上面４及び別のワーク２の上面４はこの場合、偏平な表面を有している。第１のワーク１と別のワーク２との間に位置し、シールエレメント７を介してシールされている空間８は、結合の保持を向上させるために、負圧を付与されても良い。
【００２９】
図示したワークはセラミックから製造されており、セラミック製のセラミック・金属基板又はヒートシンクである。
【００３０】
図２には、セラミックから成る第１のワーク１が示されており、このワーク１は偏平な上面４を有している。この上面４には、種々異なる金属化された領域３が設けられており、この上面４は回路支持体である。第１のワーク１の下面５は冷却リブ９を有しており、ヒートシンクである。ヒートシンクは例えば、ドイツ連邦共和国特許出願公開第１０２００７０１４４３３号明細書に記載されている。
【００３１】
選択的表面処理のために、処理すべきではない領域６が別のワーク２ａ，２ｂ，２ｃによってカバーされる。この別のワーク２ａ，２ｂ，２ｃは、シール部材７を介して第１のワークに、かつ互いに結合されている。第１のワーク１は平板状に形成されておらず、第１のワーク１の上面４は下面５とは異なる表面積を有している。
【００３２】
別のワーク２ａは平板状に形成されている。別のワーク２ｂ，２ｃは平板状に形成されていない。第１のワーク１及び別のワーク２は、全ての側に金属被覆部３を有している。部分的にこれらの金属被覆部３には、別の金属被覆部又は構成素子が設けられる。
【００３３】
別のワーク２ｂもセラミックから製造されており、それぞれ切欠１１，１２を有している。切欠１２は円錐状であって、切欠１１は球状に形成されている。別のワーク２ｃはＵ字形に形成されている。この場合も、シールされている空間は符号８で示されている。
【図１】
0005737934.tif 000002
【図２】
0005737934.tif 000003